(57)【要約】逐次変化するナビゲーションマップをユーザに提供するため、複数のウェブページ間の関係を、ツリー構造のノードとブランチとしてブラウザに表示するナビゲーションマップ表示システム１は、ウェブページへのアクセス数等のマーケティングデータを取得し、更新するマーケティングデータ更新手段２４と、当該マーケティングデータと、ユーザ端末３の制御入力手段３１からのキーワード入力又はノード指定入力に基づいて、ブランチ及び／又はノードの形態を変化させたナビゲーションマップを生成するナビゲーションマップ生成手段２２とを有する。
2004111879.tif 000002
【特許請求の範囲】
【請求項１】
複数のウェブページ間の関係を、ツリー構造のノードとブランチとしてブラウザに表示するナビゲーションマップ表示方法において、
ウェブページへのアクセス数等のマーケティングデータと、ユーザの制御入力に基づいて、前記ブランチ及び／又はノードの形態を変化させる
ことを特徴とするナビゲーションマップ表示方法。
【請求項２】
前記マーケティングデータは、前記一のノードからブランチを介して接続された他のノードへのアクセス遷移数であり、
前記アクセス遷移数に基づいて、前記ブランチの形態を変化させる
ことを特徴とする請求項１に記載のナビゲーションマップ表示方法。
【請求項３】
前記マーケティングデータは、前記ノードへのアクセス数であり、
前記アクセス数に基づいて、当該ノードの形態を変化させる
ことを特徴とする請求項１又は請求項２に記載のナビゲーションマップ表示方法。
【請求項４】
前記ナビゲーションマップ表示方法は、
前記マーケティングデータに基づいて、前記ノード間に新たなブランチを生成し、又は、既存のブランチを削除する
ことを特徴とする請求項１から請求項３のいずれかに記載のナビゲーションマップ表示方法。
【請求項５】
前記制御入力は、キーワード入力であり、
前記キーワードと関連があるノードを検索し、検索されたノードを親ノードとしてナビゲーションマップを表示する
ことを特徴とする請求項１から請求項４のいずれかに記載のナビゲーションマップ表示方法。
【請求項６】
前記検索されたノードが複数ある場合は、前記マーケティングデータに基づいて選択された一のノードが親ノードとなる
ことを特徴とする請求項５に記載のナビゲーションマップ表示方法。
【請求項７】
前記制御入力は、ナビゲーションマップに表示されているノードのうち、一のノードを指定するノード指定入力であり、
前記ノード指定入力に基づいて、親ノード、子ノード、ブランチを決定し、ナビゲーションマップを表示する
ことを特徴とする請求項１から請求項６のいずれかに記載のナビゲーションマップ表示方法。
【請求項８】
複数のウェブページ間の関係を、ツリー構造のノードとブランチとしてブラウザに表示するナビゲーションマップ表示システムにおいて、
ウェブページへのアクセス数等のマーケティングデータを取得し、更新するマーケティングデータ更新手段と、
前記マーケティングデータと、ユーザの制御入力に基づいて、前記ブランチ及び／又はノードの形態を変化させたナビゲーションマップを生成するナビゲーションマップ生成手段とを
有することを特徴とするナビゲーションマップ表示システム。
【請求項９】
前記マーケティングデータ更新手段は、
前記一のノードからブランチを介して接続された他のノードへのアクセス遷移数を表すアクセス遷移データを生成するアクセス遷移データ生成手段を有し、
前記ナビゲーションマップ生成手段は、
前記アクセス遷移データに基づいて、前記ブランチの形態を変化させる
ことを特徴とする請求項８に記載のナビゲーションマップ表示システム。
【請求項１０】
前記マーケティングデータ更新手段は、
前記ノードへのアクセス数を表す人気度データを生成する人気度データ生成手段を有し、
前記ナビゲーションマップ生成手段は、
前記人気度データに基づいて、当該ノードの形態を変化させる
ことを特徴とする請求項８又は請求項９に記載のナビゲーションマップ表示システム。
【請求項１１】
前記ナビゲーションマップ表示システムは、
前記マーケティングデータに基づいて、前記ノード間に新たなブランチを生成し、又は、既存のブランチを削除するブランチ生成・削除手段を
有することを特徴とする請求項８から請求項１０のいずれかに記載のナビゲーションマップ表示システム。
【請求項１２】
前記ナビゲーションマップ生成手段は、
ユーザから制御入力されたキーワードと関連があるノードを検索する検索手段と、
前記検索されたノードを親ノードとして決定する親ノード決定手段と、
前記親ノードと接続される子ノード及びブランチ及びこれらの形態を決定する子ノード・ブランチ決定手段とを
有することを特徴とする請求項８から請求項１１のいずれかに記載のナビゲーションマップ表示システム。
【請求項１３】
前記親ノード決定手段は、
前記検索手段で検索されたノードが複数ある場合は、前記マーケティングデータに基づいて選択された一のノードを親ノードとして決定する
ことを特徴とする請求項１２に記載のナビゲーションマップ表示システム。
【請求項１４】
前記ナビゲーションマップ生成手段は、
ユーザから制御入力されたノード指定に基づいて、親ノードを決定する親ノード決定手段と、
前記親ノードと接続される子ノード及びブランチ及びこれらの形態を決定する子ノード・ブランチ決定手段とを
有することを特徴とする請求項８から請求項１１のいずれかに記載のナビゲーションマップ表示システム。
【請求項１５】
ウェブページ等の複数の情報間の関係を、ツリー構造のノードとブランチとして表示するナビゲーションマップ表示方法において、
前記情報へのアクセス数等のマーケティングデータに基づいて、前記ノード及び／又はブランチの形態が決められる
ことを特徴とするナビゲーションマップ表示方法。
【請求項１６】
前記ノード及び／又はブランチの形態は、
更に、ユーザの制御入力に基づいて決められる
ことを特徴とする請求項１５に記載のナビゲーションマップ表示方法。
【請求項１７】
ウェブページ等の複数の情報間の関係を、ツリー構造のノードとブランチとして表示するナビゲーションマップ表示方法において、
前記情報へのアクセス数等のマーケティングデータに基づいて、前記ノード及び／又はブランチの形態を逐次変化させる
ことを特徴とするナビゲーションマップ表示方法。
【請求項１８】
前記ノード及び／又はブランチの形態は、
更に、ユーザの制御入力に基づいて決められる
ことを特徴とする請求項１７に記載のナビゲーションマップ表示方法。
【請求項１９】
前記ナビゲーションマップ表示方法は、
任意のノード間の関連性が低い場合には、前記ノード間のブランチを削除する
ことを特徴とする請求項１５から請求項１８のいずれかに記載のナビゲーションマップ表示方法。
【請求項２０】
前記ナビゲーションマップ表示方法は、
任意のノード間の関連性が高い場合には、前記ノード間にブランチを生成する
ことを特徴とする請求項１５から請求項１８に記載のナビゲーションマップ表示方法。
【請求項２１】
ウェブページ等の複数の情報間の関係を、ツリー構造のノードとブランチとして表示するナビゲーションマップ表示システムにおいて、
前記情報へのアクセス数等のマーケティングデータを取得し、更新するマーケティングデータ更新手段と、
前記マーケティングデータに基づいて、前記ブランチ及び／又はノードの形態が決められたナビゲーションマップを生成するナビゲーションマップ生成手段とを
有することを特徴とするナビゲーションマップ表示システム。
【請求項２２】
前記ナビゲーションマップ生成手段は、
更に、ユーザの制御入力に基づいて、前記ナビゲーションマップを生成する
ことを特徴とする請求項２１に記載のナビゲーションマップ表示システム。
【請求項２３】
前記ナビゲーションマップ表示システムは、
任意のノード間の関連性が低い場合には、前記ノード間のブランチを削除するブランチ削除手段を有する
ことを特徴とする請求項２１又は請求項２２に記載のナビゲーションマップ表示システム。
【請求項２４】
前記ナビゲーションマップ表示システムは、
任意のノード間の関連性が高い場合には、前記ノード間にブランチを生成するブランチ生成手段を有する
ことを特徴とする請求項２１又は請求項２２に記載のナビゲーションマップ表示システム。
【発明の詳細な説明】
【技術分野】
【０００１】  本発明は、ウェブブラウザで閲覧可能なウェブページを効率的に検索するためのナビゲーションマップを表示する技術に関し、特に、ウェブページ間の関係をツリー構造で表し、かつマーケティングデータとユーザ入力に応じて変化するナビゲーションマップを表示する技術に関する。
【背景技術】
【０００２】  従来、ウェブページを検索する場合は、ウェブブラウザ（以下、単にブラウザという）に表示される検索エンジンを用いるのが一般的である。この検索エンジンによるウェブページの検索方式には、主にキーワード検索方式と、ディレクトリ検索方式がある。【０００３】  ディレクトリ検索方式に関連する技術としては、ユーザが目的とするウェブページを検索しやすくするため、ウェブページ間の関係をツリー構造で表した目次を生成し、ウェブページを本の形に整形する技術がある（例えば、特許文献１、特許文献２参照）。【０００４】  ツリー構造の目次は、章や節等の見出し毎にウェブページがまとめられているため、有効な検索手段となる。しかし、このようなツリー構造の目次には以下に掲げる問題があった。【０００５】
【特許文献１】特開平９−２８２２１８号公報
【特許文献２】特開２０００−２５０９０８号公報
【発明の開示】
【発明が解決しようとする課題】
【０００６】  従来のツリー構造の目次は、予め目次作成者によって決められたウェブページ間の関係を表したに過ぎず、いつ、誰が見ても同じ目次がブラウザに表示される。【０００７】  従って、キーワード検索方式と異なりユーザの検索自由度は低く、特に、目次作成者のツリー構造作成意図と、ユーザの検索意図が合致しないような場合には、かえって検索に時間がかかる場合もあった。【０００８】  更に、ユーザは予め決められたツリー構造に従って、目的とするウェブページを見つけるだけであり、そのような目次は時間の経過とともに陳腐化しがちであり、検索の面白みに欠けるものであった。【０００９】  そこで本発明者は上記問題点に鑑み、複数のウェブページ間の関係を、ツリー構造のナビゲーションマップとしてブラウザに表示し、ユーザの入力と、ウェブページへのアクセス数等のマーケティングデータとに応じて逐次変化するナビゲーションマップを生成、表示する方法及びシステムを発明した。【００１０】  請求項１の発明は、
複数のウェブページ間の関係を、ツリー構造のノードとブランチとしてブラウザに表示するナビゲーションマップ表示方法において、ウェブページへのアクセス数等のマーケティングデータと、ユーザの制御入力に基づいて、前記ブランチ及び／又はノードの形態を変化させるナビゲーションマップ表示方法である。【００１１】  請求項８の発明は、
複数のウェブページ間の関係を、ツリー構造のノードとブランチとしてブラウザに表示するナビゲーションマップ表示システムにおいて、ウェブページへのアクセス数等のマーケティングデータを取得し、更新するマーケティングデータ更新手段と、前記マーケティングデータと、ユーザの制御入力に基づいて、前記ブランチ及び／又はノードの形態を変化させたナビゲーションマップを生成するナビゲーションマップ生成手段とを有するナビゲーションマップ表示システムである。【００１２】  請求項１及び請求項８の発明により、マーケティングデータとユーザの制御入力に基づいて逐次変化するナビゲーションマップが表示されるので、ユーザはナビゲーションマップをカスタマイズすることが出来、楽しみながらウェブページを検索することが出来、ツリー構造の陳腐化が防止される。【００１３】  請求項２の発明は、
前記マーケティングデータは、前記一のノードからブランチを介して接続された他のノードへのアクセス遷移数であり、前記アクセス遷移数に基づいて、前記ブランチの形態を変化させるナビゲーションマップ表示方法である。【００１４】  請求項９の発明は、
前記マーケティングデータ更新手段は、前記一のノードからブランチを介して接続された他のノードへのアクセス遷移数を表すアクセス遷移データを生成するアクセス遷移データ生成手段を有し、前記ナビゲーションマップ生成手段は、前記アクセス遷移データに基づいて、前記ブランチの形態を変化させるナビゲーションマップ表示システムである。【００１５】  請求項２及び請求項９の発明により、ユーザは他のユーザがウェブページを検索するのにどのようなアクセスを行ったかを一目瞭然に把握することが出来、ウェブページ検索の参考とすることが出来る。【００１６】  請求項３の発明は、
前記マーケティングデータは、前記ノードへのアクセス数であり、前記アクセス数に基づいて、当該ノードの形態を変化させるナビゲーションマップ表示方法である。【００１７】  請求項１０の発明は、
前記マーケティングデータ更新手段は、前記ノードへのアクセス数を表す人気度データを生成する人気度データ生成手段を有し、前記ナビゲーションマップ生成手段は、前記人気度データに基づいて、当該ノードの形態を変化させるナビゲーションマップ表示システムである。【００１８】  請求項３及び請求項１０の発明により、ユーザは他のユーザがどのノードにアクセスしたかを一目瞭然に把握することが出来、ウェブページ検索の参考とすることが出来る。【００１９】  請求項４の発明は、
前記マーケティングデータに基づいて、前記ノード間に新たなブランチを生成し、又は、既存のブランチを削除するナビゲーションマップ表示方法である。【００２０】  請求項１１の発明は、
前記マーケティングデータに基づいて、前記ノード間に新たなブランチを生成し、又は、既存のブランチを削除するブランチ生成・削除手段を有するナビゲーションマップ表示システムである。【００２１】  請求項４及び請求項１１の発明により、マーケティングデータを、ブランチの接続有無に反映させることで、多くのユーザにとっては検索の際の手助けとなり得ないような不要なブランチは削除され、有効かつ妥当性のあるブランチが生き残り又は新たに生成されるので、最初のツリー構造の生成が妥当なものでなかったとしても自動的に修正され、多くのユーザにとってより検索しやすく望ましい方向に進化していくことになる。【００２２】  請求項５の発明は、
前記制御入力は、キーワード入力であり、前記キーワードと関連があるノードを検索し、検索されたノードを親ノードとしてナビゲーションマップを表示するナビゲーションマップ表示方法である。【００２３】  請求項１２の発明は、
前記ナビゲーションマップ生成手段は、ユーザから制御入力されたキーワードと関連があるノードを検索する検索手段と、前記検索されたノードを親ノードとして決定する親ノード決定手段と、前記親ノードと接続される子ノード及びブランチ及びこれらの形態を決定する子ノード・ブランチ決定手段とを有するナビゲーションマップ表示システムである。【００２４】  請求項５及び請求項１２の発明により、従来のツリー構造のナビゲーションマップにキーワード検索を取り入れ、検索の効率化が図られる。【００２５】  請求項６の発明は、
前記検索されたノードが複数ある場合は、前記マーケティングデータに基づいて選択された一のノードが親ノードとなるナビゲーションマップ表示方法である。【００２６】  請求項１３の発明は、
前記親ノード決定手段は、前記検索手段で検索されたノードが複数ある場合は、前記マーケティングデータに基づいて選択された一のノードを親ノードとして決定するナビゲーションマップ表示システムである。【００２７】  請求項６及び請求項１３の発明により、キーワードとマーケティングデータの両方に基づいて親ノードが決定されるので、ユーザが最も希望とすると思われるウェブページに素早くたどり着くことが可能となる。【００２８】  請求項７の発明は、
前記制御入力は、ナビゲーションマップに表示されているノードのうち、一のノードを指定するノード指定入力であり、前記ノード指定入力に基づいて、親ノード、子ノード、ブランチを決定し、ナビゲーションマップを表示するナビゲーションマップ表示方法である。【００２９】  請求項１４の発明は、
前記ナビゲーションマップ生成手段は、ユーザから制御入力されたノード指定に基づいて、親ノードを決定する親ノード決定手段と、前記親ノードと接続される子ノード及びブランチ及びこれらの形態を決定する子ノード・ブランチ決定手段とを有するナビゲーションマップ表示システムである。【００３０】  請求項７及び請求項１４の発明により、ユーザの入力に応じて自由にノードを変更することが出来るので、検索の効率化が図られる。【００３１】  請求項１５の発明は、
ウェブページ等の複数の情報間の関係を、ツリー構造のノードとブランチとして表示するナビゲーションマップ表示方法において、前記情報へのアクセス数等のマーケティングデータに基づいて、前記ノード及び／又はブランチの形態が決められるナビゲーションマップ表示方法である。【００３２】  請求項１７の発明は、
ウェブページ等の複数の情報間の関係を、ツリー構造のノードとブランチとして表示するナビゲーションマップ表示方法において、前記情報へのアクセス数等のマーケティングデータに基づいて、前記ノード及び／又はブランチの形態を逐次変化させるナビゲーションマップ表示方法である。【００３３】  請求項２１の発明は、
ウェブページ等の複数の情報間の関係を、ツリー構造のノードとブランチとして表示するナビゲーションマップ表示システムにおいて、前記情報へのアクセス数等のマーケティングデータを取得し、更新するマーケティングデータ更新手段と、前記マーケティングデータに基づいて、前記ブランチ及び／又はノードの形態が決められたナビゲーションマップを生成するナビゲーションマップ生成手段とを有するナビゲーションマップ表示システムである。【００３４】  請求項１５、請求項１７、請求項２１の発明により、マーケティングデータに基づいて逐次変化するナビゲーションマップが表示されるので、ツリー構造の陳腐化が防止され、ユーザにとっては情報の検索効率が上がる。【００３５】  請求項１６の発明は、前記ノード及び／又はブランチの形態は、更に、ユーザの制御入力に基づいて決められるナビゲーションマップ表示方法である。【００３６】  請求項１８の発明は、
前記ノード及び／又はブランチの形態は、更に、ユーザの制御入力に基づいて決められる請求項１７に記載のナビゲーションマップ表示方法である。【００３７】  請求項２２の発明は、
前記ナビゲーションマップ生成手段は、更に、ユーザの制御入力に基づいて、前記ナビゲーションマップを生成するナビゲーションマップ表示システムである。【００３８】  請求項１６、請求項１８、請求項２２の発明により、更に、ユーザの制御入力に基づいて、逐次変化するナビゲーションマップが表示されるので、ユーザはナビゲーションマップを個々にカスタマイズすることが出来、情報の検索効率がより上がる。【００３９】  請求項１９の発明は、
任意のノード間の関連性が低い場合には、前記ノード間のブランチを削除するナビゲーションマップ表示方法である。【００４０】  請求項２０の発明は、
任意のノード間の関連性が高い場合には、前記ノード間にブランチを生成するナビゲーションマップ表示方法である。【００４１】  請求項２３の発明は、
任意のノード間の関連性が低い場合には、前記ノード間のブランチを削除するブランチ削除手段を有するナビゲーションマップ表示システムである。【００４２】  請求項２４の発明は、
任意のノード間の関連性が高い場合には、前記ノード間にブランチを生成するブランチ生成手段を有するナビゲーションマップ表示システムである。【００４３】  請求項１９、請求項２０、請求項２３、請求項２４の発明によれば、マーケティングデータを、ブランチの接続有無に反映させることで、多くのユーザにとっては検索の際の手助けとなり得ないような不要なブランチは削除され、有効かつ妥当性のあるブランチが生き残り又は生成されるので、最初のツリー構造の生成が妥当なものでなかったとしても自動的に修正され、多くのユーザにとってより情報を検索しやすく望ましい方向に進化していき、情報の検索効率がより上がる。
【発明の効果】
【００４４】  以上、詳細に説明したように、本発明にかかるナビゲーションマップ表示方法及びナビゲーションマップ表示システムによれば、時々刻々と更新されるマーケティングデータと、ユーザの制御入力に基づいて、ツリー構造そのものや、ノード、ブランチの形態が変化することになり、見るたびにナビゲーションマップは変化するので、ユーザはナビゲーションマップをカスタマイズすることが出来、楽しみながらウェブページを検索することが出来、ツリー構造の陳腐化が防止される。【００４５】  更に、ユーザのアクセスログに基づいた人気度や遷移データを、ノードやブランチの接続、形態に反映させることで、多くのユーザにとっては検索の際の手助けとなり得ないような不要なブランチは削除され、有効かつ妥当性のあるブランチが生き残り又は新たに生成されるので、ユーザが関連性の高いウェブページをたどることが容易となり、ツリー構造は、多くのユーザにとって、より検索しやすく望ましい方向に進化していくことになる。
発明を実施する為の最良の形態【００４６】  以下、本発明の好適な実施の形態について、添付図面に基づいて詳細に説明する。図１、図２、図３は、本発明にかかるナビゲーションマップ表示システム１及びナビゲーションマップ表示方法の一実施例を示している。【００４７】  図１は、ナビゲーションマップ表示システム１の構成のうち、ナビゲーションマップを表示する前段階として、ナビゲーションマップの生成に必要な構成手段を表した図である。【００４８】  図１のナビゲーションマップ表示システム１ａには、ウェブページデータベース１１、ウェブページ情報入力手段１２、シソーラスデータベース１３、キーワードインデックスデータ生成手段１４、キーワードインデックスデータベース１５、ツリー構造データ生成手段１６、ツリー構造データベース１７が含まれている。【００４９】  ウェブページデータベース１１には、ユーザが検索目的とする複数のウェブページのデータと、そのウェブページの識別情報（ＵＲＬ、タイトル、日付、ページ番号等）が格納されている。各ウェブページデータは、例えば、ＪＰＥＧ形式等の画像ファイルやテキストファイルであり、ユーザ端末が有するウェブブラウザ（以下、ブラウザという）に表示される時には、ＨＴＭＬ形式、ＸＭＬ形式等のブラウザに表示可能な形式に変換される。【００５０】  ウェブページ情報入力手段１２は、ウェブページデータベース１１に格納されているウェブページの情報を入力する手段であり、見出し入力手段１２１、シソーラス語変換手段１２２、キーワード入力手段１２３とを含む。【００５１】  見出し入力手段１２１は、入力対象となるウェブページに適当な見出しを入力する手段である。見出しは、ウェブページ間の関係を表すツリー構造のノードとして、ナビゲーションマップ中に表示される。例えば、見出し入力手段１２１で、大見出し、中見出し、小見出しの３種類の見出しが入力された場合には、これら見出しがノードとなり、大見出しと中見出し、中見出しと小見出しの間が、それぞれツリー構造のブランチを介して接続される。尚、ウェブページの識別情報もノードの１つとみなされ、小見出しとウェブページの識別情報との間もブランチを介して接続される。【００５２】  入力される見出しの種類、数は問わず、ウェブページによって見出しの数が異なっても構わないが、一般的には、見出しの数は統一され、大見出しが最も概念が広く、包括的であり、見出しが下位になるにつれ、範囲が限定され個別具体的になる。【００５３】  シソーラス語変換手段１２２は、シソーラスデータベース１３を参照して、入力された見出しをシソーラス語に統一する手段である。これは、同じ意味を指す語であっても複数種類の表現語が存在し、それによってそれぞれが全く異なる意味を指す語であると認識されることを防止し、正しいツリー構造データを生成するためである。【００５４】  例えば、あるウェブページの見出しとして、見出し入力手段１２１で「パソコン」と入力された場合、「パソコン」は「コンピュータ」と同義であるため、いずれかの語に統一変換される。又、見出しとして「アニメーション」又は「アニメ」と入力された場合にも同様に、いずれかの語に統一変換されるようにする。シソーラスデータベース１３は、このように、異なる表現の複数の同義語を集めて格納しているデータベースである。【００５５】  尚、見出し入力手段１２１での見出し入力時に、例えば、予め決められた見出しの中から一の見出しを選択できるようになっている場合には、シソーラス語変換手段１２２は不要である。又、見出し入力手段１２１で、必ずしもシソーラス語を入力する必要はなく、例えば、毎年定期的に発行されるようなカタログのページをウェブページとする場合には、そのカタログのタイトルや発行年月が見出しとなってもよい。【００５６】  キーワード入力手段１２３は、入力された見出し以外の語で、そのウェブページの特徴を表すキーワードを入力する手段である。一般に、見出しは万人が理解することが出来るようなシソーラス語で構成されるが、キーワードは、キーワード検索を行うために必須であり、見出しとして使用された語以外の語であることが望ましい。例えば、ウェブページの内容が映画に関するものである場合には、その映画のタイトルがキーワードとなりうる。キーワード入力手段１２３では、１ウェブページにつき、少なくとも１以上のキーワードを入力する。【００５７】  キーワードインデックスデータ生成手段１４は、ウェブページ情報入力手段１２で入力された見出しとキーワードに基づいて、キーワードインデックスデータを生成する手段である。ここでは、キーワードのみならず見出しも、そのウェブページの検索用キーワードとする。キーワードインデックスデータは、後述する検索手段２２１で、ノードをキーワード検索する際に用いられる。【００５８】  キーワードインデックスデータの形態は問わないが、ウェブページの識別情報毎に、見出し及びキーワードを紐付けしたデータでもよいし、見出し又はキーワード毎に、その見出し若しくはキーワードを有する見出し若しくはウェブページの識別情報を紐付けしたデータでもよい。【００５９】  ツリー構造データ生成手段１６は、見出し入力手段１２１で入力された見出しに基づいて、ツリー構造を記述したデータを生成する手段である。ツリー構造データの一例を図６に示す。図６は、左端から順に、ルート、大見出し、中見出し、小見出しがブランチを介して接続され、小見出しには、検索目的であるウェブページの識別情報がブランチを介して接続されている。【００６０】  前述したように、各見出し及びウェブページの識別情報はノードとなり、各見出し間はブランチを介して接続される。このツリー構造データは、ナビゲーションマップとしてブラウザにグラフィック表示されるのに利用される。ツリー構造の採用により、ウェブページ間の関係が一目瞭然に示される。【００６１】  キーワードインデックスデータ生成手段１４で生成されたキーワードインデックスデータは、キーワードインデックスデータベース１５に格納され、ツリー構造データ生成手段１６で生成されたツリー構造データは、ツリー構造データベース１７に格納される。ここでは、ウェブページデータベース１１に格納されている全てのウェブページについてのキーワードインデックスデータ、ツリー構造データが格納される。【００６２】  図２は、図１のウェブページデータベース１１、キーワードインデックスデータ��ース１５、ツリー構造データベース１７とを含むナビゲーションマップ表示システム１ｂと、このシステムとネットワーク４を介して接続されるユーザ端末３の構成を示している。【００６３】  図２のナビゲーションマップ表示システム１ｂは、図１に示したデータベースの他、マーケティングデータベース２１、ナビゲーションマップ生成手段２２、ナビゲーションマップ表示データ送信手段２３、マーケティングデータ更新手段２４、ウェブページ送信手段２５とを有する。又、ユーザ端末３は、制御入力手段３１、ＵＲＬ送信手段３２、表示手段３３とを有する。【００６４】  マーケティングデータベース２１は、マーケティングデータを格納するデータベースである。マーケティングデータとは、ナビゲーションマップとして表示されるツリー構造のノード（見出し入力手段１２１で入力された見出し及びウェブページの識別情報）に対するユーザからのアクセス数や、ノード間のアクセス遷移情報、及びこれらに基づくノードの人気度やランクである。【００６５】  ナビゲーションマップ生成手段２２は、ユーザ端末３の制御入力手段３１からの入力情報、ツリー構造データベース１７に格納されているツリー構造データ、マーケティングデータベース２１に格納されているマーケティングデータとに基づいて、ナビゲーションマップを生成する手段であり、検索手段２２１、親ノード決定手段２２２、子ノード・ブランチ決定手段２２３を有する。【００６６】  検索手段２２１は、ユーザ端末３の制御入力手段３１に含まれるキーワード入力手段３１１からキーワードを受信し、受信したキーワードがキーワードインデックスデータベース１５のキーワードインデックスデータに含まれるかどうか検索する手段である。【００６７】  親ノード決定手段２２２は、ユーザ端末３からキーワードを受信した時には、検索手段２２１での検索結果に基づいて、そのキーワードを有するノードを親ノードとして決定する手段である。尚、複数のノードが検索された場合には、例えば、アクセス数等のマーケティングデータに応じて優先順位を付けて親ノードを決定することが出来る。【００６８】  又、親ノード決定手段２２２は、制御入力手段３１のノード指定入力手段３１２からノード指定を受信した時には、その指定に基づいて親ノードを決定する手段である。どのノードを親ノードとするかによって、ナビゲーションマップの表示のされ方が変わってくる。【００６９】  ノード指定には、親ノードにしたいノードを指定する方法と、現時点での子ノードを指定し子ノードよりも下位の子ノードの更なるツリー構造をナビゲーションマップとして表示する方法がある。尚、後者のように子ノードを指定した場合には、親ノードは現状通りで変更されない。ノード指定は、一般的にはマウスやキーボード等の入力手段によりクリック、選択することにより行われる。【００７０】  子ノード・ブランチ決定手段２２３は、ツリー構造データベース１７のツリー構造データに基づいて、指定された親ノードに対する子ノードとブランチを決定し、又は、指定された子ノードの下位の子ノードとブランチを決定する手段である。更には、決定された子ノードとブランチの形態（色、形、大きさ、太さ等）をマーケティング���ータベース２１のマーケティングデータに基づいて決定する。【００７１】  ナビゲーションマップ表示データ送信手段２３は、ナビゲーションマップ表示データをネットワーク４を介してユーザ端末３に送信し、このデータに基づいてユーザ端末３の表示手段３３のブラウザにナビゲーションマップを表示又は更新する手段である。ナビゲーションマップ表示データは、先に決定された親ノード、子ノード、ブランチと、それら形態に関する情報を記述したものである。【００７２】  尚、ノード指定入力手段３１２には、ノードを指定する他、ブラウザに表示されるノードの位置や形態をユーザの好みで変化させるような入力も含まれ、このような指定入力も、ナビゲーションマップ表示データの生成に反映される。【００７３】  ウェブページ送信手段２５は、ユーザ端末３のＵＲＬ送信手段３２から、ユーザの検索目的であるウェブページのＵＲＬを受信し、ウェブページデータベース１１からそのＵＲＬを有するウェブページをユーザ端末３に送信する手段である。ユーザ端末３に送信されたウェブページは、表示手段３３のブラウザに表示される。【００７４】  尚、ウェブページの識別情報もノードの１態様であるので、ＵＲＬ送信手段３２が、制御入力手段３１のノード指定入力手段３１２に含まれていてもよい。制御入力手段３１、ＵＲＬ送信手段３２はいずれも、一般的なブラウザが有する機能としてユーザ端末３に提供される。【００７５】  マーケティングデータ更新手段２４は、ユーザ端末３へのナビゲーションマップ表示データ送信結果及びウェブページ送信結果に基づいて、マーケティングデータベース２１に格納されているマーケティングデータを更新し、更に、更新されたマーケティングデータに基づいてツリー構造データベース１７のツリー構造データを更新する手段である。【００７６】  マーケティングデータ更新手段２４の構成の一例を図３に示す。マーケティングデータ更新手段２４は、アクセスログ入力手段２４１、人気度データ生成手段２４２、アクセス遷移データ生成手段２４３、ブランチ生成・削除手段２４４とを有する。【００７７】  アクセスログ入力手段２４１は、ユーザからのアクセスログを取得し入力する手段である。アクセスログは、一般的にクッキー情報等を利用して得られるが、ユーザ端末３の識別情報（ＩＰアドレス、ユーザ名、ポート番号等）、アクセス日時、アクセスしたノード（見出し又はウェブページ）を含む。尚、ナビゲーションマップ表示システム１ｂがウィンドウ形式のＯＳを有するサーバコンピュータであれば、これらの情報は、ログファイルとして自動的に記録可能である。【００７８】  アクセスログは、図３に示されるように、ナビゲーションマップ表示データ送信手段２３からユーザ端末３にナビゲーションマップ表示データを送信した時や、ウェブページ送信手段２５からユーザ端末３にウェブページを送信した時に、ユーザからノードに対するアクセスがあったものとして記録される。【００７９】  又は、ユーザ端末３の制御入力手段３１からのノード指定入力や、キーワード入力に関する情報が、ナビゲーションマップ表示システム１ｂに送信された時や、ＵＲＬ送信手段３２からウェブページのＵＲＬが送信された時にアク���スログが記録されてもよい。【００８０】  人気度データ生成手段２４２は、入力されたアクセスログを分析し、ノードのアクセス数に応じた人気度データを生成し、マーケティングデータベース２１に格納する手段である。ノードの人気度データに応じて、例えば、ナビゲーションマップに表示される当該ノードの形を大きくしたり、小さくしたりすることが出来る。【００８１】  アクセス遷移データ生成手段２４３は、入力されたアクセスログを分析し、ノード間の遷移数に応じたアクセス遷移データを生成し、マーケティングデータベース２１に格納する手段である。特定ユーザ端末が、どのノードから、どのノードに遷移したかを把握するためには、先に得られたアクセスログやユーザ端末のクッキー情報に基づいて、そのユーザ端末がアクセスしたノードのうち、最も時間的に近いその他のノードを探し出す必要がある。ノード間のアクセス遷移データに応じて、例えば、当該ノードを接続する既存のブランチの太さを太くしたり、細くすることが出来る。【００８２】  ブランチ生成・削除手段２４４は、生成されたアクセス遷移データに基づいて、新たにノード間のブランチを生成したり、又は、既存のブランチを削除する手段である。ブランチの生成、削除は、ツリー構造データベース１７のツリー構造データに反映される。つまり、新たなツリー構造データが生成され、それに基づいて、ナビゲーションマップが表示されることになる。【００８３】  例えば、あるノード間のアクセス遷移数が規定数よりも少ない場合には、その間のブランチ接続には意味がない、つまりノード間の関連性が低いものとして、ブランチを削除する。又、現状ブランチ接続されていないようなノード間のアクセス遷移数が規定数よりも多い場合には、そのノード間の関連性が高いものであるとして、新たにブランチが生成され、ノード間の接続を行うよう、ツリー構造データへの反映が行われる。新たなブランチが生成されることで、ユーザが関連性の高いウェブページをたどることが容易となる。【００８４】  このように、時々刻々と更新されるマーケティングデータと、ユーザからの制御入力に基づいて、ツリー構造や、ノード、ブランチの形態が変化することになり、見るたびにナビゲーションマップは変化するので、ユーザはナビゲーションマップをカスタマイズすることが出来、楽しみながらウェブページを検索することが出来、ツリー構造の陳腐化が防止される。【００８５】  更に、ユーザのアクセスログに基づいた人気度や遷移データを、ノードやブランチの接続、形態に反映させることで、多くのユーザにとっては検索の際の手助けとなり得ないような不要なブランチは削除され、有効かつ妥当性のあるブランチが生き残り又は新たに生成されるので、最初のツリー構造の生成が妥当なものでなかったとしても自動的に修正され、多くのユーザにとってより検索しやすく望ましい方向に進化していくことになる。
【実施例】
【００８６】  以下、本発明の具体的実施例について、詳細に説明する。図４のフローチャートは、ナビゲーションマップ表示データを生成する前段階として、ツリー構造データ及びキーワードインデックスデータを生成する手順を示している。【００８７】  ナビゲーションマップ表示システム１は、ウェブページデータベース１１に格納されているウェブページから一を選択する（Ｓ４１０）。【００８８】  選択されたウェブページに関するウェブページ情報を入力する。ウェブページ情報には、見出し、キーワードがあり、まず、見出し入力手段１２１で見出しを入力する（Ｓ４２０）。図７は、ネットワーク４を介したオンラインショッピング用の電子カタログの中から、商品「パジャマ」についてのウェブページに関するウェブページ情報を入力するための画面の一例である。この場合、例えば、図７のウェブページ情報入力画面Ａに示されるように、まず、ウェブページ識別情報入力欄に、そのウェブページのタイトル、日付、ＵＲＬ等が入力され、大見出しに「雑貨２００３春夏号」、中見出しに「ベッドルーム」、小見出しに「パジャマ」と入力される。【００８９】  入力された見出しがシソーラス語に統一されているかどうかを確認するために、シソーラスデータベース１３内のシソーラス語との比較を行う（Ｓ４３０）。例えば、図７のウェブページ情報入力画面Ａの中見出しの欄に入力された「ベッドルーム」が、「寝室」と同義語である場合には、いずれかの語に統一変換される。図７の入力画面上のシソーラス比較ボタンをクリックすれば、シソーラス語変換手段１２２による変換が行われる。【００９０】  見出しの入力が終了したら、１以上のキーワードを入力する（Ｓ４４０）。図７のウェブページ情報入力画面Ａには、キーワード入力欄が設けられており、そのウェブページを特徴付けるキーワードで、出来るだけ、見出しとして設定されていない固有名詞等、例えば、商品の品番、名称、メーカー名、値段等が入力される。図７のキーワード入力欄には、商品「パジャマ」に対するキーワードとして、そのパジャマの特徴を表す「先染めチェック」、「着回し」、「半袖」、そのパジャマの値段を表す「３８００円」が入力される。【００９１】  見出しとキーワードと入力完了後、図７のウェブページ情報入力画面Ａ上の登録ボタンをクリックすれば、これら入力された見出し、キーワードに基づいて、キーワードインデックスデータが生成される（Ｓ４５０）。キーワードインデックスデータの形態は問わないが、図８では、見出し又はキーワードが５０音順に並べられ、各見出し又はキーワードを有する見出し又はウェブページの識別情報が紐付けされたキーワードインデックスデータＢの一例を示している。尚、図８のキーワードインデックスデータＢは、図７のウェブページ情報入力画面Ａを用いて、複数のウェブページについての見出しやキーワードを入力後、生成された結果である。【００９２】  図８のキーワードインデックスデータＢは、あ行、か行、は行の見出し又はキーワードについて生成された一例である。例えば、図７のウェブページ情報入力画面Ａで入力したキーワード「半袖」は、は行の見出し・キーワード欄に記載され、ウェブページの識別情報（「雑貨２０���３春夏１２４頁」）が紐付けられている。【００９３】  又、図７のウェブページ情報入力画面Ａで入力した見出し「ベッドルーム」、「パジャマ」についても、は行の見出し・キーワード欄に記載され、ウェブページの識別情報が紐付けられている。又、「ベッドルーム」には、ベッドルームの下位ノードに相当する小見出しである「パジャマ」や「ふとん」等に加え、「ベッドルーム」の見出しを有する全てのウェブページの識別情報が紐付けられる。【００９４】  このように、上位の見出しになるほど、紐付けられる見出しやウェブページの数は増えるため、キーワードインデックスデータには、直接ブランチで接続される見出しやウェブページの識別情報のみを記述するようにしてもよい。又、見出しやキーワードを５０音順に並べる方法ではなく、個々の見出しやウェブページの識別情報が有する見出しやキーワードを紐付ける方法で、キーワードインデックスデータを生成してもよい。【００９５】  生成されたキーワードインデックスデータは、キーワードインデックスデータベース１５に格納される（Ｓ４６０）。【００９６】  入力された見出しに基づいて、ツリー構造データが生成される（Ｓ４７０）。ツリー構造データは、図６に示したように、ルート、大見出し、中見出し、小見出し、ウェブページの識別情報をノードとし、各ノード間をブランチを介して接続したツリー構造を記述したデータである。尚、図６のツリー構造データは、図７のウェブページ情報入力画面Ａを用いて、複数のウェブページについての見出しやキーワードを入力後、ツリー構造が記述された結果である。ツリー構造データは、ツリー構造データベース１７に格納される（Ｓ４８０）。【００９７】  ウェブページデータベース１１に格納されている全てのウェブページについて、Ｓ４２０からＳ４８０に示した処理を行い（Ｓ４９０）、順次、キーワードインデックスデータベース１５及びツリー構造データベース１７にデータが蓄積される。【００９８】  図５のフローチャートは、図４のフローチャートの手順が完了したことを前提として、マーケティングデータとユーザからの制御入力に応じて、ナビゲーションマップを生成、表示する手順を示している。【００９９】  尚、更にこの前提として、ユーザ端末３は、ナビゲーションマップ表示システム１とネットワーク４を介して接続されており、図２に示したような制御入力手段３１、ＵＲＬ送信手段３２、表示手段３３を少なくとも有するブラウザを備えているものとし、ナビゲーションマップ表示システム１のマーケティングデータベース２１には、所定のマーケティングデータが蓄積されているものとする。【０１００】  ユーザ端末３は、ナビゲーションマップ表示システム１に対して、ナビゲーションマップの表示要求を行う（Ｓ５１０）。例えば、ユーザ端末３のＵＲＬ送信手段３２から、ナビゲーションマップ表示システム１のＵＲＬを指定し、送信する。これは、インターネットを介して特定のウェブページにアクセスする時と同じ要領である。【０１０１】  ナビゲーションマップ表示システム１は、まずはデフォルトのナビゲーションマップ表示データをユーザ端末３に送信する（Ｓ５２０）。ユーザ端末３の表示手段３３に表示されるデフォルト���ナビゲーションマップの一例を図９に示す。尚、以降に示すナビゲーションマップでは、楕円形又は四角形の囲みがノードであり、ノードを接続する直線がブランチである。又、二重線で囲まれたノードが親ノードを示すものであるとする。【０１０２】  図９のデフォルトナビゲーションマップは、ルートが、親ノードとし、大見出しに相当するノードが、親ノードとブランチ接続された子ノードとして、表示されているが、この他の形態であってもよい。例えば、ユーザ端末３が最後にナビゲーションマップ表示システム１にアクセスした際に表示させたナビゲーションマップがデフォルトナビゲーションマップとなってもよい。【０１０３】  又、図９のノードとブランチが、既にマーケティングデータに基づいた形態となって表示されていてもよい。図１０のデフォルトナビゲーションマップは、マーケティングデータのうち人気度データに応じて、各ノードの大きさが既に変えられている。図１０のナビゲーションマップから、人気のあるノードが一目瞭然に判断され、ユーザがウェブページを検索する際の手助けとなる。【０１０４】  ナビゲーションマップ表示システム１は、ユーザ端末３からの制御入力又はＵＲＬ送信を待つ（Ｓ５３０）。ここで、ユーザ端末３から制御入力を受信した場合、それがキーワード入力か、ノード指定入力かどうかを判断する（Ｓ５４０）。【０１０５】  制御入力が、キーワード入力である場合、検索手段２２１は、受信したキーワードがキーワードインデックスデータに含まれるかどうかを検索する（Ｓ５５０）。例えば、「半袖」というキーワードが入力された場合には、図８のキーワードインデックスデータＢから「２００３雑貨春夏１２４頁」という識別情報を有するウェブページが検索され、このウェブページの識別情報からなるノードが、次にナビゲーションマップが表示される時の親ノードとなる（Ｓ５６０）。ツリー構造のナビゲーションマップにキーワード検索を採用したことにより、素早くウェブページを探すことが可能となるので検索効率が上がる。【０１０６】  親ノード決定手段２２２は、受信したキーワードを有するノードが複数検索された場合には、これらのノードに関するマーケティングデータを参照して、親ノードを決定する。例えば、マーケティングデータ内の人気度データに基づいて、最も人気のある（アクセス数が多い）ノードを親ノードとして決定する。これにより、ユーザが最も希望とすると思われるウェブページに素早くたどり着くことが可能となる。【０１０７】  尚、上位の見出しに相当するキーワード（例えば、図８のキーワードインデックスデータＢの見出し・キーワード一覧にある「ベッドルーム」）が検索手段２２１で入力された場合には、中見出し、小見出し、ウェブページの識別情報の全てのノードが検索されるが、この検索結果のうち、全てを親ノードの対象とするか、又は、入力されたキーワードを名称として含むノード（例えば、キーワードが「パジャマ」なら「パジャマ」）を親ノードの対象とするか、又は、入力されたキーワードと直接関係があるノード（例えば、キーワードが「ベッドルーム」である時は、１本のブランチを介して直接接続されている「パジャマ」、「ふとん」等）を親ノードの対象と���るかは、問わない。【０１０８】  制御入力が、ノード指定入力である場合（Ｓ５４０）、例えば、図９又は図１０のデフォルトのナビゲーションマップのノードである「雑貨２００３春夏号」をマウスでクリックした場合には、「雑貨２００３春夏号」が親ノードに変更されるか、又は、親ノードは「電子カタログ」のままで、更に「雑貨２００３春夏号」の下位ノードが表示されるようにする。つまり、制御入力がキーワード入力にせよ、ノード指定入力にせよ、親ノード決定手段２２２では次に表示されるナビゲーションマップの親ノードが決定されることになる。【０１０９】  制御入力が、キーワード入力である場合は、キーワードインデックスデータから受信したキーワードを検索し（Ｓ５５０）、そのキーワードを有するノードが親ノードとなる。【０１１０】  次に、子ノード・ブランチ決定手段２２３は、ツリー構造データとマーケティングデータに基づいて、子ノード及びブランチを決定する（Ｓ５７０）。決定された親ノードに対する子ノード及びブランチについては、図６のツリー構造データから明らかとなる。例えば、図６で、ノード「ベッドルーム」が親ノードとなった時には、ブランチ接続されている「パジャマ」や「ふとん」等が子ノードとなる。【０１１１】  尚、子ノードとなりうるのは、下位のノードばかりではなく、例えば、中見出しが親ノードとなった時であっても、ブランチ接続されていれば、大見出しであっても子ノードとなりうる。更に、子ノードにブランチ接続されているノードをナビゲーションマップに表示させてもよい。このように、ナビゲーションマップにどのノードをどこまで表示させるかどうかは、ユーザ端末３又はナビゲーションマップ表示システム１が予め設定しておく。【０１１２】  更に、マーケティングデータに基づいて、決定されたノード及び／又はブランチの形態が決められる。例えば、人気度データ生成手段２４２で生成された人気度データに基づいて、アクセス数が所定数以上のノードの形は大きくなったり、目立ちやすい色が付される。【０１１３】  又、アクセス遷移データ生成手段２４３で生成されたアクセス遷移データに基づいても、決定されたノード及び／又はブランチの形態が決められる。例えば、あるノードから他のノードに遷移したアクセス数が所定数以上のブランチの太さが太くなる。【０１１４】  これら人気度データやアクセス遷移データはランク付けされていてもよく、ランク別にノードやブランチの形態が変えられてもよい。【０１１５】  以上のように、決定されたノードとブランチに対して、それぞれの形態がマーケティングデータに応じて与えられ、これを記述したナビゲーションマップ表示データが生成され、ナビゲーションマップ表示データ送信手段２３よりユーザ端末３に送信され、表示手段３３のブラウザに表示される（Ｓ５８０）。【０１１６】  このナビゲーションマップ表示データの送信とともに、マーケティングデータも更新される。つまり、ユーザ端末３にナビゲーションマップ表示データが送信されたことをもって、そのナビゲーションマップ表示データ中、先に指定されたノード又は親ノードに対するユーザからのアクセスがあったものとみなし、アクセスログ入力手段２４１にそのアクセス���グが入力され、人気度データ及びアクセス遷移データの更新が行われる。【０１１７】  尚、アクセスログは、ユーザ端末３からの制御入力やＵＲＬ送信の受信とともに自動的に記録され、アクセスログ入力手段２４１に入力されてもよい。【０１１８】  以上のＳ５３０からＳ５８０までの手順は、ユーザからの制御入力を受信する都度発生し、ナビゲーションマップ表示システム１は、ナビゲーションマップ表示データを生成して、ユーザ端末３に送信する。ナビゲーションマップは、ユーザの制御入力によっても変化し、更に、時々刻々と更新されるマーケティングデータによっても変化するので、デフォルトナビゲーションマップ以外は、ほとんど同じマップとなることがない。【０１１９】  更に、ユーザの制御入力には、キーワード入力やノード指定入力の他、ノードやブランチの表示位置や形態を好みで変える入力も含まれるので、ユーザ毎のカスタマイズが可能である。【０１２０】  以下に、ナビゲーションマップ生成手段２２で生成されるナビゲーションマップを表示手段３３のブラウザに表示した一例を示す。図１１は、図９のデフォルトナビゲーションマップのノードのうち、「雑貨２００３春夏号」をノード指定し、「雑貨２００３春夏号」と１本のブランチを介して接続される下位ノードまで展開表示させた場合の一例である。【０１２１】  図１１のナビゲーションマップでは、依然として、「電子カタログ」が親ノードになっており、大見出しが子ノードとして親ノードにブランチ接続されており、更にノード指定された「雑貨２００３春夏号」の下位ノードに相当する「ベッドルーム」や「リビングルーム」がブランチを介して表示される。【０１２２】  このようにナビゲーションマップを表示させると、ユーザは、どのノードが人気があるのか、他のユーザがどのようにノードを遷移しているのかを一目瞭然に把握することが出来るので、ユーザがウェブページを検索する際に参考とすることが出来る。【０１２３】  例えば、図１１のナビゲーションマップからは、ブランチの太さにより、「電子カタログ」、「雑貨２００３春夏号」、「ダイニング＆キッチン」のノードの順に遷移するユーザの数が最も多く、又、「ダイニング＆キッチン」が最も人気があるということが分かる。【０１２４】  更に、「雑貨２００３春夏号」よりも「ダイニング＆キッチン」のほうが、表示されている大きさから判断して人気度が高いということから、「雑貨２００３春夏号」から「ダイニング＆キッチン」という順番にノードにアクセスしているのではなく、「ダイニング＆キッチン」に直接アクセスしているユーザが多いということも分かる。【０１２５】  図１２は、図１１のナビゲーションマップの状態から、「ベッドルーム」を親ノードに指定し、「ベッドルーム」を基準としたナビゲーションマップを表示させた場合の一例である。ここで、四角で囲まれたノードは、検索目的であるウェブページの識別情報を表すものとする。【０１２６】  この四角いノードをクリックすれば、ユーザ端末３のＵＲＬ送信手段３２から、そのウェブページのＵＲＬが送信され、ナビゲーションマップ表示システム１は、ウェブページデータベース１１に格納されているウェブページからそのＵＲＬを有する��ェブページを検索し、ウェブページ送信手段２５により、ユーザ端末３に送信する（Ｓ５９０）。図１３のウェブページＣは、ユーザ端末３に送信され、表示手段３３でブラウザに表示されるウェブページの一例である。【０１２７】  更に、ウェブページ送信手段２５により、ウェブページが送信されたことをもって、そのウェブページ（ノード）に対するユーザからのアクセスがあったものとみなし、アクセスログ入力手段２４１にそのアクセス情報が入力され、人気度データ及びアクセス遷移データの更新が行われる。【０１２８】  図１２は、指定されたノードを基準としたナビゲーションマップであるため、親ノードに指定された「ベッドルーム」の上位ノード（「雑貨２００３春夏号」）も下位ノード（例えば、「パジャマ」）も表示可能となっており、上位ノードに戻ることも、下位ノードに進むことも容易に行える。【０１２９】  又、表示されているノードのうち、任意のノードをマウスでドラッグ＆ドロップして、ブラウザ画面内の希望の位置に動かすことも可能である。例えば、親ノードをブラウザ画面の中心ではなく、端に表示させることも可能である。一のノードを移動させれば、そのノードとブランチ接続された他のノードは追従して移動する。【０１３０】  図１４は、図１２のナビゲーションマップ中、親ノードである「ベッドルーム」をユーザ端末３のブラウザ画面Ｄの左下端に移動させた例である。図１４のナビゲーションマップのように、ユーザが指定したノードが希望の位置に動かされるだけでなく、アクセス遷移数の多い（図１４においてはブランチが太い）ノード間のブランチの長さが短くされるように、ナビゲーションマップが表示されてもよい。【０１３１】  図１５は、図１１に示したナビゲーションマップに表示されていたノード間のブランチ接続の関係が、ブランチ生成・削除手段２４４により、更新された状態のナビゲーションマップである。図１１のナビゲーションマップが表示された段階では、「雑貨２００３春夏号」から「バス＆サニタリー」へのアクセス遷移が少なかったため、この間を接続するブランチが、「バス＆サニタリー」のノードとともに、削除され、図１５のナビゲーションマップが表示されるようになった。【０１３２】  図１１と図１５のナビゲーションマップを対比させれば、「雑貨２００３春夏号」と「バス＆サニタリー」との間の関連性は少なかったことが分かり、ブランチ生成・削除手段２４４により、このような不要なブランチ及びノードは表示されなくなるので、ナビゲーションマップは図１５のように見やすいものとなる。【０１３３】  尚、図１５のナビゲーションマップでは、「バス＆サニタリー」のノードとブランチが削除されたが、ノードはツリー構造データの中から完全に削除された訳ではなく、他のノードとブランチ接続されていれば、表示される可能性はあり、又、新たにブランチが生成されることによっても表示される可能性はある。【０１３４】  更に、これまで図１１のナビゲーションマップ表示段階ではブランチ接続されていなかった「電子カタログ」から「ダイニング＆キッチン」へのアクセス遷移数が多いことが、マーケティングデータから明らかになったため、新たにこの間のブランチが図１５のナビゲ���ションマップで生成されている。【０１３５】  図１５のナビゲーションマップにより、「電子カタログ」と「ダイニング＆キッチン」との関連性が高いことが分かり、ユーザは、「電子カタログ」から「ダイニング＆キッチン」にたどり着くことが容易となり、「雑貨２００３春夏号」のノードを経由するよりも早くウェブページを検索することが可能となる。【０１３６】  以上のように、ブランチ生成・削除手段２４４で生成、削除されたブランチは、ツリー構造データベース１７のツリー構造データに反映される。図６のツリー構造データの一部について、ブランチ生成・削除手段２４４によるブランチの生成、削除の結果を反映したツリー構造データの一例を図１６に示す。【０１３７】  尚、ブランチ生成・削除手段２４４によるブランチの生成・削除は、ウェブページがユーザに公表されてから所定時間経過後、マーケティングデータが蓄積されたところで、定期的に実行されることが望ましい。マーケティングデータが蓄積されていない状態で、ブランチの削除等が行われると、ほとんどのユーザの目に触れられないノードが発生しうるからである。【０１３８】  本発明に於ける各手段、データベースは、その機能が論理的に区別されているのみであって、物理上あるいは事実上は同一の領域を為していてもよい。又データベースの代わりにデータファイルであってもよいことは言うまでもなく、データベースとの記載にはデータファイルをも含んでいる。【０１３９】  尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによっても実現される。【０１４０】  この場合、記憶媒体から読み出されたプログラム自体が前記実施態様の機能を実現することとなり、そのプログラムを記憶した記憶媒体は本発明を構成する。【０１４１】  プログラムを供給するための記憶媒体としては、例えば磁気ディスク、ハードディスク、光ディスク、光磁気ディスク、磁気テープ、不揮発性のメモリカード等を使用することが出来る。【０１４２】  又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も本発明に含まれる。
【図面の簡単な説明】
【０１４３】［図１］本発明のナビゲーションマップ表示システムのシステム構成の一例を示す図である。
［図２］本発明のナビゲーションマップ表示システムのシステム構成の他の一例と、ネットワークを介して接続されるユーザ端末のシステム構成の一例を示す図である。
［図３］マーケティングデータ更新手段の詳細なシステム構成の一例を示す図である。
［図４］本発明のナビゲーションマップ表示方法によりナビゲーションマップを表示する手順を示すフローチャート図である。
［図５］本発明のナビゲーションマップ表示方法によりナビゲーションマップを表示する手順を示す他のフローチャート図である。
［図６］ツリー構造データの一例を示す概念図である。
［図７］ウェブページ情報入力画面の一例を示す図である。
［図８］キーワードインデックスデータの一例を示す概念図である。
［図９］ブラウザに表示されるナビゲーションマップの一例を示す図である。
［図１０］ブラウザに表示されるナビゲーションマップの他の一例を示す図である。
［図１１］ブラウザに表示されるナビゲーションマップの他の一例を示す図である。
［図１２］ブラウザに表示されるナビゲーションマップの他の一例を示す図である。
［図１３］ブラウザに表示されるウェブページの一例を示す図である。
［図１４］ブラウザに表示されるナビゲーションマップの他の一例を示す図である。
［図１５］ブラウザに表示されるナビゲーションマップの他の一例を示す図である。
［図１６］ツリー構造データの他の一例を示す概念図である。
【符号の説明】
【０１４４】１：ナビゲーションマップ表示システム
１１：ウェブページデータベース
１２：ウェブページ情報入力手段
１２１：見出し入力手段
１２２：シソーラス語変換手段
１２３：キーワード入力手段
１３：シソーラスデータベース
１４：キーワードインデックスデータ生成手段
１５：キーワードインデックスデータベース
１６：ツリー構造データ生成手段
１７：ツリー構造データベース
２１：マーケティングデータベース
２２：ナビゲーションマップ生成手段
２２１：検索手段
２２２：親ノード決定手段
２２３：子ノード・ブランチ決定手段
２３：ナビゲーションマップ表示データ送信手段
２４：マーケティングデータ更新手段
２４１：アクセスログ入力手段
２４２：人気度データ生成手段
２４３：アクセス遷移データ生成手段
２４４：ブランチ生成・削除手段
２５：ウェブページ送信手段
３：ユーザ端末
３１：制御入力手段
３１１：キーワード入力手段
３１２：ノード指定入力手段
３２：ＵＲＬ送信手段
３３：表示手段
４：ネットワーク
【図１】
2004111879.tif 000003
【図２】
2004111879.tif 000004
【図３】
2004111879.tif 000005
【図４】
2004111879.tif 000006
【図５】
2004111879.tif 000007
【図６】
2004111879.tif 000008
【図７】
2004111879.tif 000009
【図８】
2004111879.tif 000010
【図９】
2004111879.tif 000011
【図１０】
2004111879.tif 000012
【図１１】
2004111879.tif 000013
【図１２】
2004111879.tif 000014
【図１３】
2004111879.tif 000015
【図１４】
2004111879.tif 000016
【図１５】
2004111879.tif 000017
【図１６】
2004111879.tif 000018
【国際調査報告】
2004111879.tif 000019
2004111879.tif 000020
2004111879.tif 000021
2004111879.tif 000022